(57)【要約】【課題】  銀イオンの生成効率を十分に上げることが可能な便器洗浄水生成装置を提供することを目的とする。【解決手段】  洗浄水を、その８割未満の流量が流れる第１の流路と、それ以外の洗浄水が流れる第２の流路と、に区画する第１の流路区画手段と、前記第１の流路区画手段の下流側に設けられ、少なくともいずれかが銀を含む一対の電極を有し、前記第１の流路を流れる洗浄水の少なくとも一部を前記一対の電極の間に流した状態で前記一対の電極の間に通電することにより銀イオンを放出可能とした銀電解槽と、前記銀電解槽に電力を出力する電力出力手段と、を備えたことを特徴とする便器洗浄水生成装置を提供する。【選択図】  図１
2005290794.tif 000002
【特許請求の範囲】
【請求項１】
洗浄水を、その８割未満の流量が流れる第１の流路と、それ以外の洗浄水が流れる第２の流路と、に区画する第１の流路区画手段と、
前記第１の流路区画手段の下流側に設けられ、少なくともいずれかが銀を含む一対の電極を有し、前記第１の流路を流れる洗浄水の少なくとも一部を前記一対の電極の間に流した状態で前記一対の電極の間に通電することにより銀イオンを放出可能とした銀電解槽と、
前記銀電解槽に電力を出力する電力出力手段と、
を備えたことを特徴とする便器洗浄水生成装置。
【請求項２】
前記一対の電極の少なくともいずれかの下流側に設けられ、前記第１の流路と前記第２の流路とを区画する第２の流路区画手段をさらに備えたことを特徴とする請求項１記載の便器洗浄水生成装置。
【請求項３】
前記一対の電極の少なくともいずれかの側方に設けられた第３の流路区画手段をさらに備えたことを特徴とする請求項１または２に記載の便器洗浄水生成装置。
【請求項４】
前記流路区画手段は、前記電極に隣接して設けられ、その境界において、前記電極の表面と前記流路区画手段の表面とは略同一平面を形成してなることを特徴とする請求項１〜３のいずれか１つに記載の便器洗浄水生成装置。
【請求項５】
前記第１の流路を複数の流路に分割する整流手段をさらに備えたことを特徴とする請求項１〜４のいずれか１つに記載の便器洗浄水生成装置。
【請求項６】
前記流路区画手段及び前記電極の少なくともいずれかの表面に対して略垂直且つ前記第１の流路の流れに対して略平行に設けられた仕切板をさらに備えたことを特徴とする請求項１〜６のいずれか１つに記載の便器洗浄水生成装置。
【請求項７】
前記電力出力手段は、前記洗浄水の水流により電力を生成する発電手段を有することを特徴とする請求項１〜６のいずれか１つに記載の便器洗浄水生成装置。
【請求項８】
前記発電手段は、前記第２の流路を流れる洗浄水により電力を生成することを特徴とする請求項７記載の便器洗浄水生成装置。
【請求項９】
前記電力出力手段は、蓄電手段を有することを特徴とする請求項１〜６のいずれか１つに記載の便器洗浄水生成装置。
【発明の詳細な説明】
【技術分野】
【０００１】
本発明は、便器洗浄水生成装置に関し、特に、銀（Ａｇ）イオンを含有した洗浄水を生成し、水洗便器などに流すことができる便器洗浄水生成装置に関する。
【背景技術】
【０００２】
水洗便器は、使用者のボタン操作等による手動洗浄、あるいは、便器の前に人が立ったことを検出し便器の使用が終了した時点で自動的に上水又は中水を流す自動洗浄により清浄度が維持される。しかし、単に水を流すのみでは、便器や配水管に、「水アカ」や「ぬめり」が蓄積したり臭気が発生することを防止することが容易でない。また、小便器においては、「尿石」が配管内に付着して排水の通過路を狭くしたり、便器の表面に付着して外観を損ね、細菌繁殖の温床となって臭気を放つようになる。一旦付着してしまった尿石は、通常の清掃では除去することは難しく、ブラシで強く擦らないと取れない。このため、尿石の除去は、専門の業者に依頼する必要があり、大きな負担となっている。
【０００３】
この問題に対して、本発明者らは、洗浄水の水流エネルギーを利用して発電し、この電気エネルギーを用いて洗浄水に銀イオンを含有させる殺菌装置を発明した（例えば、特許文献１及び特許文献２）。
【０００４】
これらの発明によれば、銀イオンが有する殺菌作用によって、水アカ、ぬめり、尿石などの発生を抑制できる。また、銀イオンを生成するための電気エネルギー源として水力発電を利用すれば、家庭用１００ボルト電源などの商用電源が不要となり、停電や感電なども問題を解消し、低ランニングコストの便器殺菌装置を提供できる。
【特許文献１】特開２０００−２７２６２号公報
【特許文献２】特開２００１−２３２３６９号公報
【発明の開示】
【発明が解決しようとする課題】
【０００５】
しかし、水力発電、あるいは１次電池や２次電池などの蓄電手段を電源として用いる場合には、銀イオンの生成効率を十分に高くしてシステムの消費電力を下げる必要がある。また、銀電極の消耗を抑制して長期間に亘るメンテナンスフリーを実現するためにも、銀イオンの生成効率を十分に高くする必要がある。
【０００６】
本発明はかかる課題の認識に基づいてなされたものであり、その目的は、銀イオンの生成効率を十分に上げることが可能な便器洗浄水生成装置を提供することにある。
【課題を解決するための手段】
【０００７】
上記目的を達成するため、本発明の一態様によれば、洗浄水を、その８割未満の流量が流れる第１の流路と、それ以外の洗浄水が流れる第２の流路と、に区画する第１の流路区画手段と、前記第１の流路区画手段の下流側に設けられ、少なくともいずれかが銀を含む一対の電極を有し、前記第１の流路を流れる洗浄水の少なくとも一部を前記一対の電極の間に流した状態で前記一対の電極の間に通電することにより銀イオンを放出可能とした銀電解槽と、前記銀電解槽に電力を出力する電力出力手段と、を備えたことを特徴とする便器洗浄水生成装置が提供される。
【０００８】
上記構成によれば、第１の流路区画手段を設けて水の流れを分岐させ、銀電解槽を流れる水量を下げることにより、電極の間の流速が低下するので、流れが層流またはより層流に近い状態となる。すると、主流の流速が低下し、かつ境界層の厚さが厚くなるので、主流から境界層を介しての塩素イオンＣｌ−の供給も小さくなり、塩化銀ＡｇＣｌの生成が抑制され、銀イオンＡｇ＋の生成効率が大幅に改善される。  
またさらに、分流により銀電解槽を流れる水量を制限すると、電極間に供給される塩素イオンＣｌ−の絶対量が低下するために、塩化銀ＡｇＣｌの生成が抑制される。このため、銀イオンＡｇ＋の損失が低下して、銀イオンの生成効率がさらに改善される。
【０００９】
その結果として、銀電極の消耗を抑制し、銀電解槽の耐用期間を大幅に延ばすことができる。また、銀電解槽に洗浄水の一部のみを流すので、洗浄水の圧力損失を低減できる。その結果として、水洗便器の洗浄のために必要な水圧を確保でき、十分な水圧で高い洗浄効果が得られる。
【００１０】
ここで、前記一対の電極の少なくともいずれかの下流側に設けられ、前記第１の流路と前記第２の流路とを区画する第２の流路区画手段をさらに備えたものとすれば、第１の流路と第２の流路の流れが合流して流れが不安定となる領域を電極から遠ざけることができる。つまり、電極の上に厚みのある境界層を安定的に形成し、電極表面への塩素イオンＣｌ−の供給を十分に低下させることができる。その結果として、銀イオンの損失を最小限に抑制し、生成効率を大幅に上げることが可能となる。
【００１１】
また、前記一対の電極の少なくともいずれかの側方に設けられた第３の流路区画手段をさらに備えたものとすれば、電極の側方における水流の乱れを抑制し、電極の上において厚みのある境界層を安定的に形成して、銀イオンの生成効率を上げることができる。
【００１２】
また、前記流路区画手段は、前記電極に隣接して設けられ、その境界において、前記電極の表面と前記流路区画手段の表面とは略同一平面を形成してなるものとすれば、流路区画手段と電極との境界において、水流の乱れの発生を防ぎ、塩素イオンの供給を抑制できる。その結果として、銀イオンの生成効率をさらに高くすることができる。
【００１３】
また、前記第１の流路を複数の流路に分割する整流手段をさらに備えたものとすれば、整流手段によって水流の乱れを抑止するので、電極表面への塩素イオンの供給を抑制できる。その結果として、銀イオンの生成効率をさらに高くすることができる。
【００１４】
また、前記流路区画手段及び前記電極の少なくともいずれかの表面に対して略垂直且つ前記第１の流路の流れに対して略平行に設けられた仕切板をさらに備えたものとすれば、仕切板が整流板として作用し、水流の乱れを抑止するので、電極表面への塩素イオンの供給を抑制できる。その結果として、銀イオンの生成効率をさらに高くすることができる。
【００１５】
また、前記電力出力手段は、前記洗浄水の水流により電力を生成する発電手段を有するものとすれば、発電手段により生成される限られた電力を有効に活用することができる。
【００１６】
また、前記電力出力手段は、蓄電手段を有するものとすれば、蓄電手段の消耗を防ぎ、交換や再充電などの頻度を下げることができる。
【００１７】
なお、本願明細書において、銀イオンの「放出」とは、銀電極の表面から銀イオンが遊離することを意味し、銀イオンの「溶出」とは、放出された銀イオンが洗浄水中にイオンしてとどまることをいうものとする。
【発明の効果】
【００１８】
本発明によれば、銀イオンの生成効率を大幅に上げることができ、システムの消費電力を抑えるとともに、銀電極の寿命も延ばし、しかも洗浄水の圧力損失も低減できる便器洗浄水生成装置を提供することができる。
【発明を実施するための最良の形態】
【００１９】
以下、図面を参照しつつ本発明の実施の形態について説明する。  
図１は、本発明の実施の形態にかかる便器洗浄水生成装置の要部構成を例示する模式図である。すなわち、本実施形態の便器洗浄水生成装置１０は、制御手段１００と、流路区画手段３１０及び３２０と、これらの間に設けられた銀電解槽４００と、を有する。このような便器洗浄水生成装置１０は、同図に例示した如く、開閉弁２００と、水洗便器６００との間に設けることができる。
【００２０】
上水や中水などの水道水Ｗは、開閉弁２００によりその流路が開閉される。開閉弁２００は手動式であってもよく、または後に詳述するように、制御手段１００により自動開閉されるものであってもよい。開閉弁２００の開動作により流路を開いて、水道水Ｗを下流側に流すことができる。開閉弁２００の下流には、流路区画手段３１０が設けられている。流路区画手段３１０は、水道水Ｗを第１の水流Ｗ１と第２の水流Ｗ２とに分流する役割を有する。これら水流のうちで、第１の水流Ｗ１のみが銀電解槽４００に供給され、銀イオンが添加される。銀電解槽４００から流出した水流Ｗ１は、流路区画手段３２０を通過後に第２の水流Ｗ２と合流し、水洗便器６００に洗浄水として供給される。
【００２１】
本実施形態においては、このように流路区画手段３１０、３２０を設けて水洗便器６００に流すべき洗浄水の一部のみを分流し銀電解槽４００に供給することにより、銀イオンの生成効率を大幅に上げることができる。
【００２２】
図２は、銀電解槽４００における銀イオンの生成を説明するための概念図である。  
すなわち、銀電解槽４００は、一対の電極４２０ａ、４２０ｂを有し、その間隙を水が流れる構造を有する。これら電極４２０ａ、４２０ｂのうちで、陽極（アノード）となる少なくともいずれかの電極は、銀（Ａｇ）または銀を含有する金属からなる。ただし、後に詳述するように、通常は、これら電極４２０ａ、４２０ｂのいずれも銀により形成し、印加電圧の極性を適宜反転させることが望ましい。そこで、以降、これら電極４２０ａ、４２０ｂをいずれも、「銀電極」と呼ぶこととする。但し、本発明はこれには限定されず、電極４２０ａ、４２０ｂのいずれかが銀以外の電極により形成されているものも包含する。
【００２３】
銀電極４２０ａ、４２０ｂの間に電圧を印加すると、陽極側の銀電極４２０ｂから銀イオンが放出される。放出された銀イオンは水の流れＷ１にのって水洗便器６００に流入し、殺菌作用や除菌作用などを発揮する。すなわち、銀イオンが添加された洗浄水を水洗便器６００に流すと、水洗便器６００及びその排水管の防汚性という点で秀逸な効果を発揮する。水洗便器への尿石の付着のメカニズムは、次のようなものと考えられる。
【００２４】
水洗便器６００に排尿をすると、水洗便器の表面に尿が付着するとともに、水洗便器内のトラップ部に尿が滞留する。一般に、水洗便器には、多数の細菌が存在する。尿には、多量の尿素が含有されているが、水洗便器の表面やトラップ部の滞留水に細菌が存在すると、尿素は細菌の有する酵素ウレアーゼの作用によりアンモニアと二酸化炭素に分解される。この時生成するアンモニア量が多いと、臭気の一因となる。また、アンモニアが生成すると、水洗便器の表面に付着した液体やトラップ部の滞留水に溶解し、その液体のｐＨ（ペーハー）が上昇する。ｐＨが上昇すると、水洗便器の表面に付着した液体やトラップ部の滞留水に含まれるカルシウムイオンが炭酸塩やリン酸塩へと変化して析出し、「尿石」として便器や排水管に付着し、着色汚れや詰まりの原因となる。
【００２５】
これに対して、本発明に係る便器洗浄水生成装置１０を水洗便器６００に適応した態様では、銀イオンを含有した殺菌効果の高い洗浄水を水洗便器６００に流すことにより、水洗便器６００やその排水管内に存在する細菌を効果的に殺菌することができる。その結果として、尿石付着の原因が排除され、水洗便器は常に清浄な状態に保たれて美観を損ねることもなく、尿石の配管内への付着による汚水通過路の狭小化が防止され、また、アンモニア等による臭気の発生も防止される。
【００２６】
本発明者は、水洗便器６００に流す洗浄水に含まれる銀イオンの濃度と殺菌効果について調査検討を行った。その結果、銀イオンの添加量が少ないと殺菌効果が十分に得られず、一方、銀イオンの添加量が多すぎると、システムの消費電力が大きいのみならず、銀電極の消耗も激しく、また、銀イオンと同時に発生する塩化銀が便器の陶器面に付着することにより「黒ずみ」などの変色が生ずる場合があることを知得した。そして、これらの観点から、洗浄水に対する銀イオンの添加量は、１〜５０ｐｐｂの範囲内とすることが望ましいことが分かった。従って、銀イオンの添加量がこの範囲内において、できるだけ銀イオンの生成効率を高くする必要がある。
【００２７】
これに対して、本実施形態によれば、流路区画手段３１０、３２０を設けて銀電解槽４００に供給する水流を制限するとともに、電極４２０ａ、４２０ｂにおける水の流れを調整することにより、銀イオンの生成効率を大幅に上げることができる。  
図３は、本実施形態において用いることができる流路区画手段３１０、３２０及び銀電解槽４００の一例を表す一部切断斜視図である。
【００２８】
すなわち、この具体例の場合、洗浄水Ｗの流路を規定する配管の管壁寄りに、流路区画手段３１０、銀電極４２０ａ及び４２０ｂ、流路区画手段３２０がこの順に設けられている。つまり、流路区画手段３１０によって洗浄水Ｗが、水流Ｗ１とＷ２とに分流される。そして、水流Ｗ１のみが銀電極４２０ａ、４２０ｂの間を通水し、残りの水流Ｗ２は銀電解槽４００を介することなく流れる。これら水流Ｗ１及びＷ２は、流路区画手段３２０の後端において合流し、水洗便器６００に供給される。
【００２９】
このように、流路区画手段３１０、３２０を設けて、銀電極４２０ａ、４２０ｂの間に流れる水の分流比を低下させ、水流を整流させると、銀イオンの生成効率を上げることができる。
【００３０】
図４は、分流による銀イオンの生成効率の改善を説明するための模式図である。  
すなわち、銀イオンＡｇ＋は、陽極（アノード）側の電極４２０ｂから放出される。しかし、プラスの電圧を印加された陽極側の電極４２０ｂの表面には、電極近傍の境界層ＢＬ内にあるマイナスの電荷をもつ塩素イオンＣｌ−が引き寄せられる。この状態で銀電極４２０ｂの表面で銀イオンＡｇ＋が生成されても、境界層ＢＬを介して拡散してきた塩素イオンＣｌ−と結合して塩化銀（ＡｇＣｌ）が生成され、銀イオンとしての効果が得られない。すなわち、溶出した銀イオンの損失が大きい状態が形成されてしまう。
【００３１】
また、銀電解槽４００内を流れる水量Ｗ１が多いと流速が大きくなるため、流れが乱流またはより乱流に近い状態となる。この場合、主流の流速が大きくなり、かつ境界層の厚さが薄くなるので主流から境界層ＢＬを通しての塩素イオンの供給（物質移動）も大きくなり、塩化銀が生成しやすい。  
これに対して、流路区画手段３１０、３２０を設けて水の流れを分岐させ、銀電解槽４００を流れる水量Ｗ１を下げると、銀電極４２０ａ、４２０ｂの間の流速が低下するので、流れが層流またはより層流に近い状態となる。すると、主流の流速が低下し、かつ境界層ＢＬの厚さが厚くなるので、主流から境界層ＢＬを介しての塩素イオンＣｌ−の供給（物質移動）も小さくなり、塩化銀ＡｇＣｌの生成が抑制され、銀イオンＡｇ＋の生成効率が大幅に改善される。
【００３２】
またさらに、分流により銀電解槽４００を流れる水量を制限すると、電極間に供給される塩素イオンＣｌ−の絶対量が低下するために、塩化銀ＡｇＣｌの生成が抑制される。このため、銀イオンＡｇ＋の損失が低下して、銀イオンの生成効率がさらに改善される。
【００３３】
以上説明したように、本実施形態によれば、流路区画手段３１０、３２０により水流を分流し銀電解槽４００を流れる水量を制限することにより、銀イオンの生成効率を上げることができる。
【００３４】
図５は、分流比と銀電解槽の消費電力との関係を表すグラフ図である。すなわち、同図の横軸は、洗浄水の全流量Ｗ（Ｗ１＋Ｗ２）に対して、銀電極４２０ａ、４２０ｂの間を通過する水の流量Ｗ１の割合を「分流比」として表し、縦軸は、銀イオンの添加量を５ｐｐｂとするために必要な銀電解槽４００の消費電力（ミリワット）をそれぞれ表す。またここで、銀電極４２０ａ、４２０ｂの電極間距離は１０ミリメータ、電極の対向面積は１０ミリメータ×１０ミリメータとし、水の総流量は毎分２５リッターとした。
【００３５】
図５から、分流比が約８０パーセントを境にして、消費電力が急に低下することが分かる。すなわち、分流比が８０パーセントよりも高い場合には、分流比を変化させても消費電力の変化は比較的小さいが、分流比が８０パーセントを下回ると、分流比を下げるに従って消費電力も顕著に小さくなることが分かる。例えば、分流比が１００パーセントの場合の消費電力は１３１５ミリワットであるのに対して、分流比を２０パーセントに低下させると消費電力は２８０ミリワットと、およそ４．７分の１にまで低下する。  
つまり、分流手段３００を設けて銀電解槽４００を流れる水の分流比を下げると、銀イオンの生成効率を上げることができる。
【００３６】
図６は、銀イオンの添加量を４ｐｐｂとする場合の分流比と銀電解槽の消費電力との関係を表すグラフ図である。この場合にも、分流比が約８０乃至６０パーセントを境にして、消費電力が急に低下することが分かる。
【００３７】
図７及び図８は、電極間距離を５ミリメータとした時の、分流比と銀電解槽の消費電力との関係を表すグラフ図である。すなわち、図７は、銀イオンの添加量を５ｐｐｂとした場合を表し、図８は、銀イオンの添加量を４ｐｐｂとした場合を表す。  
図７から、やはり分流比がおよそ８０パーセントを下回ると、消費電力が顕著に下がることが分かる。また、図８においても、傾向はやや小さいものの、分流比がおよそ８０パーセントを下回ると、消費電力が下がることが分かる。
【００３８】
図９及び図１０は、電極間距離を３ミリメータとした時の、分流比と銀電解槽の消費電力との関係を表すグラフ図である。すなわち、図９は、銀イオンの添加量を５ｐｐｂとした場合を表し、図１０は、銀イオンの添加量を４ｐｐｂとした場合をそれぞれ表す。図９及び図１０においても、やはり分流比がおよそ８０パーセントを下回ると、消費電力が確実に下がることが分かる。
【００３９】
以上、図５乃至図１０に表した結果から、流路区画手段３１０、３２０を設けて銀電解槽４００を流れる水の分流比を低下させると、銀イオンの生成効率が上昇することが分かる。この理由は、図４に関して前述したように、分流により銀電解槽４００を流れる水量を下げると、供給される塩素イオンＣｌ−の絶対量が低下するために、塩化銀ＡｇＣｌの生成が抑制されるからである。このため、銀イオンＡｇ＋の損失が低下して、銀イオンの生成効率が改善される。その結果として、システムの消費電力を低減するとともに、銀電極の消耗を抑制することができる。
【００４０】
ところで、図４に関して前述したように、銀イオンの生成効率を上げるためには、銀電極４２０ａ、４２０ｂの表面への塩素イオンＣｌ−の供給をできるだけ制限することが重要である。このためには、電極４２０ａ、４２０ｂの表面における乱流の発生を抑制し、また、境界層ＢＬの厚みを増すことが効果的である。この要求に対して、本実施形態においては、流路区画手段３１０、３２０設けることにより、高い整流効果が得られ、電極表面での乱流の発生を抑制し、境界層ＢＬの厚みを増すことができる。
【００４１】
図１１は、本実施形態における流路区画手段３１０、３２０の配置関係を例示する模式図である。    
すなわち、洗浄水の水流Ｗの中に流路区画手段３１０、銀電極４２０ａ及び４２０ｂ、流路区画手段３２０がこの順に配置されている。水流Ｗは、流路区画手段３１０によって水流Ｗ１とＷ２とに分流され、水流Ｗ１のみが銀電極４２０ａ、４２０ｂの間を流れる。電極間を流れた水流Ｗ１は、区画手段３２０の上を流れ、その後端において水流Ｗ２と合流する。
【００４２】
図１２は、比較例として流路区画手段が設けられていない構成を例示する模式図である。本比較例の場合、銀電極４２０ａ、４２０ｂが水流Ｗの中に設けられている。水流Ｗは、これら銀電極によって水流Ｗ１とＷ２とに分流され、銀電極の後端において再び合流する。
【００４３】
図１３は、図１２に表した比較例の銀電極４２０ｂの表面に形成される水流を表す模式図である。  
すなわち、水流Ｗは銀電極４２０ｂの先端において分流され、水流Ｗ１が銀電極４２０ｂの表面を流れる。しかし、この場合、銀電極４２０ｂの先端付近においては境界層ＢＬが十分には発達せず、その厚みが薄い遷移領域が存在する。このように境界層ＢＬの厚みが薄い部分においては、塩素イオンＣｌ−が迅速に銀電極４２０ｂの表面に拡散し、銀イオンＡｇ＋と結合して塩化銀ＡｇＣｌを形成する。つまり、境界層ＢＬの厚みが薄いために塩素イオンＣｌ−の供給量が増加し、銀イオンの損失が増大してしまう。
【００４４】
また、比較例の場合、銀電極４２０ｂの後端においても、流路が急に拡大し、水流Ｗ１とＷ２とが合流するために、流れの乱れが発生しやすい。このため、銀電極４２０ｂの後端付近においても境界層ＢＬが不安定となり、塩素イオンＣｌ−が電極表面に移動しやすくなる。その結果として、銀イオンＡｇ＋の損失が増加する。
【００４５】
図１４は、流路区画手段３１０、３２０の作用を説明するための模式図である。  
すなわち、本実施形態においては、銀電極４２０ｂの上流に流路区画手段３１０を設けることにより、境界層ＢＬの厚みが不十分な遷移領域を銀電極４２０ｂから遠ざけることができる。また、銀電極４２０ｂの下流に流路区画手段３２０を設けることにより、流れＷ１とＷ２とが合流して流れが不安定となる領域を銀電極４２０ｂから遠ざけることができる。
【００４６】
つまり、流路区画手段３１０、３２０を設けることにより、銀電極４２０ｂの上に厚みのある境界層ＢＬを安定的に形成し、電極表面への塩素イオンＣｌ−の供給を十分に低下させることができる。その結果として、銀イオンの損失を最小限に抑制し、生成効率を大幅に上げることが可能となる。
本発明者は、流路区画手段３１０、３２０の有無による銀イオン生成効率の変化について調べた。  
図１５は、本発明者が実施した実験の結果を表すグラフ図である。すなわち、一辺が１０ミリメータの正方形状の一対の銀電極４２０ａ、４２０ｂを３ミリメータの間隔で対向させた。そして、これら電極４２０ａ、４２０ｂのそれぞについて、流れに対して上流側と下流側に流路区画手段３１０、３２０を設けたサンプル「Front 10-Rear 10」と、、上流側のみに長さ１０ミリメータの流路区画手段３１０を設けたサンプル「Front 10-Rear 0」と、下流側のみに長さ１０ミリメータの流路区画手段３２０を設けたサンプル「Front 0-Rear 10」と、流路区画手段３１０、３２０を設けないサンプル「Front 0-Rear 0」を用意した。これらサンプルについて、毎分１７リッターの水を流して、投入電力と銀イオン濃度との関係を測定した。
図１５から、上流と下流にそれぞれ流路区画手段３１０、３２０を設けたサンプル（Front 10-Rear 10）において、最も銀イオンの濃度が高く、上流のみに流路区画手段３１０を設けたサンプル（Front 10-Rear 0）は、その次に銀イオン濃度が高く、下流のみに流路区画手段３２０を設けたサンプル（Front 0-Rear 10）がその次にイオン濃度が高く、流路区画手段３１０、３２０を設けないサンプル（Front 0-Rear 0）が最も銀イオン濃度が低いことが判明した。
つまり、上流側に流路区画手段３１０を設ける効果が最も高く、下流側に流路区画手段３２０を設ける効果がその次に高いことが判明した。これは、上流側に流路区画手段３１０を設けることにより、境界層ＢＬの厚みが不十分な遷移領域を銀電極から遠ざけることができ、また、下流側に流路区画手段３２０を設けることにより、流れが不安定となる領域を銀電極から遠ざけることができるためであると考えられる。
以下、本発明において、流路区画手段３１０、３２０と銀電極４２０ａ、４２０ｂにより形成される分流構造について具体例を挙げて説明する。  
図１６は、分流構造の具体例を表す斜視切断図である。  
また、図１７は、水流Ｗの方向に切断した模式断面図である。
【００４７】
本具体例の場合、洗浄水の水路の中央付近に、流路区画手段３１０、銀電極４２０ａ、４２０ｂ、流路区画手段３２０がこの順に配置されている。銀電極４２０ａ、４２０ｂは、それぞれ配管の外側に延出した接続端子４１０ａ、４１０ｂに接続されている。  
この分流構造は、洗浄水Ｗが流れる配管の中心付近に設けられた一対の流路区画手段３１０、３１０により挟持された第１の流路と、これら一対の流路区画手段３１０、３１０により挟持されない配管周囲の第２の流路と、を有する。この具体例は、配管の内径と同程度の比較的大きなサイズの銀電極４２０ａ、４２０ｂを配置できる点で自由度が大きい構造であるといえる。
【００４８】
次に、図１８に表した分流構造の場合、図３に表したものと同様に、洗浄水の配管の管壁寄りに、流路区画手段３１０、銀電極４２０ａ、４２０ｂ、流路区画手段３２０が配置されている。銀電極４２０ａ、４２０ｂは、それぞれ配管の外側に延出した接続端子４１０ａ、４１０ｂに接続されている。  
このように配管の管壁に近づけると電極間の通水量をさらに下げることができる。  
図１９は、配管内を流れる水流Ｗの流速分布を例示する模式図である。すなわち、配管の中に形成される水流Ｗの流速は、中央部では速く、管壁に近づくに従って遅くなる分布を有する。従って、本具体例の如く配管の管壁寄りに流路区画手段３１０、銀電極４２０ａ、４２０ｂ、流路区画手段３２０を配置すると、電極間の流速が遅く、通水量を小さくできる点で有利である。またさらに、図４に関して前述したように、流速を遅くすることにより、銀電極の表面に形成される境界層ＢＬの厚みを厚くできる。その結果として、銀電極の表面近傍への塩素イオンＣｌ−の供給を抑制し、塩化銀ＡｇＣｌの生成を抑制して、銀イオンの損失を低減できる。
【００４９】
次に、図２０に表した分流構造の場合、図１８に表した分流構造と同様に、流路区画手段３１０、銀電極４２０ａ、４２０ｂ、流路区画手段３２０は配管の管壁寄りに配置され、さらに、一対の流路区画手段３２０、３２０の下流側の端部に絞り孔３６０が設けられている。つまり、銀電極４２０ａ、４２０ｂの間を流れる水の出口として、絞り孔３６０を設けることにより、電極間の通水量をさらに抑制し、銀イオンの生成効率をさらに上げることが可能となる。また同時に、アノード電極の表面に形成される境界層の厚みを厚くして塩素イオンの供給を抑制し、銀イオンの損失を抑制できる。
【００５０】
特に、本具体例の分流構造によれば、このような絞り孔３６０を用いて通水抵抗を形成すれば、電極の設計条件を変更せずに電極間の通水量を容易に下げることができる点で有利である。
【００５１】
次に、図２１は、配管の一部を切り取ってその内壁側から眺めた斜視図である。同図に表した分流構造の場合、流路区画手段３１０、銀電極４２０ａ、４２０ｂ、流路区画手段３２０が配管の管壁から略垂直方向にそれぞれ突出するように設けられている。この構造の場合も、図１９に関して前述したように、銀電極を管壁に近づけることにより通水量や流速を低下させることができる。さらに、本具体例の場合、配管内への突出部を最小限に抑えることにより、配管を流れる洗浄水に対する管路抵抗の増加も最小限に抑えることが可能である。つまり、洗浄水の圧力損失を低減させて、その下流に設けられる発電機の発電効率や吐水ノズルの洗浄効果を改善することができる。
【００５２】
次に、図２２に表した分流構造の場合、配管は屈曲部を有し、流路区画手段３１０、銀電極４２０ａ、４２０ｂ、流路区画手段３２０は、この屈曲部の内周側に寄せて配置されている。屈曲部において形成される水流は、同図に矢印で表したように、外周において流速が速く、内周において流速が遅くなる分布を有する。従って、屈曲部の内周に寄せて銀電極を配置することにより、電極間の流速及び通水量を低下させ、銀イオンの生成効率を上げることができる。  
次に、図２３は、分岐流路を離間させた分流構造を表す模式図である。すなわち、同図（ａ）はその外観を表す斜視図であり、同図（ｂ）はその断面図である。
【００５３】
本具体例においても、洗浄水Ｗの水路は、流路区画手段３１０によって２つに分岐されている。第１の水路を流れる水流Ｗ１は銀電極４２０ａ、４２０ｂの間を流れ、第２の水路を流れる水流Ｗ２はこれら銀電極を介することなく流出する。つまり、洗浄水Ｗのうちの一部の水流Ｗ１のみが銀電極４２０ａ、４２０ｂの間を通水するように流路区画手段３１０が配置されている。そして、流路区画手段３２０の下流において、第１及び第２の水流Ｗ１、Ｗ２が合流して水洗便器６００に供給される。
【００５４】
以上、本発明において用いることができる分流構造について具体例を挙げつつ説明した。  次に、流路区画手段３１０、３２０と銀電極４２０との配置関係について詳細に説明する。
【００５５】
図２４は、本発明における流路区画手段と銀電極との配置関係を例示する斜視図である。
【００５６】
すなわち、銀電極４２０の上流側には流路区画手段３１０が設けられ、下流側には流路区画手段３２０が設けていられる。さらに、銀電極４２０の側方、すなわち、水流Ｗに対して銀電極４２０の横方向に、流路区画手段３３０を設けることができる。これら流路区画手段３１０〜３３０は、図２５及び図２６に断面図として表したように、銀電極４２０の表面と略同一の平面を構成するように設けることが望ましい。銀電極４２０の表面における水流の乱れを防ぐためである。すなわち、銀電極４２０の周囲を、略同一平面となるように流路区画手段３１０〜３２０により取り囲むことにより、高い整流効果が得られる。その結果として、銀電極４２０の表面において水流の乱れを防ぎ、厚い境界層を形成することができる。
【００５７】
また、銀電極４２０の上流側に設けられる流路区画手段３１０の先端は、図２７に断面図として表したように、曲面により形成することができる。このようにすれば、先端における水流Ｗの乱れを低減し、この乱れが下流側の銀電極４２０に及ぼす影響を抑制できる。  同様の理由から、流路区画手段３１０の先端は、図２８に断面図として表したように、水流Ｗに対して鋭角に形成してもよい。図２７及び図２８に例示したもの以外にも、流路区画手段３１０の先端を各種の多角形状や、各種の曲面の組合せとしてもよい。すなわち、流路区画手段３１０の先端における流れの急な変化を低減できる形状とすれば、水流の乱れを低減でき、銀電極４２０に与える影響を低減できる。
【００５８】
図２９は、本発明における流路区画手段と銀電極との配置関係の第２の具体例を例示する模式図である。すなわち、同図（ａ）はその平面図であり、同図（ｂ）はそのＡ−Ａ線断面図である。  
本具体例においても、銀電極４２０ａ、４２０ｂの上流側及び下流側には流路区画手段３１０、３２０がそれぞれ略同一平面を形成するように設けられている。さらに、これら電極４２０ａ、４２０ｂの横方向には、流路区画手段３３０が電極面と略同一平面を形成するように設けられ、対向する流路区画手段３３０同士が滑らかな曲面により連結されて管状流路を形成している。
【００５９】
このように滑らかな内壁面を有する管状流路を形成すれば、銀電極４２０ａ、４２０ｂの表面における水流の乱れを低減でき、高い整流効果が得られる。
【００６０】
図３０は、本発明における流路区画手段の第３の具体例を例示する斜視模式図である。すなわち、本具体例においては、銀電極４２０の上流側に設けられた流路区画手段３１０に仕切板３４０が設けられている。仕切板３４０は、流路区画手段３１０に対して略垂直に設けられ、水流に対して整流板として作用する。このような仕切板３４０を設けることにより、整流効果が高まり、銀電極４２０における水流の乱れをさらに効果的に抑制できる。
【００６１】
図３１は、本発明における流路区画手段の第４の具体例を例示する斜視模式図である。すなわち、本具体例においては、銀電極４２０の下流側に設けられた流路区画手段３２０に仕切板３４０が設けられている。この仕切板３４０も、流路区画手段３２０に対して略垂直に設けられ、水流に対して整流板として作用する。銀電極４２０の下流側においてこのような仕切板３４０を設けても、整流効果を高めて、銀電極４２０における水流の乱れをさらに効果的に抑制できる。
【００６２】
なお、図３０に例示した具体例と図３１に例示した具体例とを組み合わせてもよい。すなわち、銀電極４２０の上流側と下流側にそれぞれ仕切板３４０を設けることにより、整流効果をさらに高めることが可能である。
【００６３】
図３２は、本発明における流路区画手段の第５の具体例を例示する斜視模式図である。すなわち、本具体例においては、銀電極４２０の上流側の流路区画手段３１０に格子状に仕切板３４０、３５０が設けられている。すなわち、仕切板３４０は、流路区画手段３１０に対して略垂直に設けられ、仕切板３５０は流路区画手段３１０に対して略水平に設けられている。これら仕切板３４０、３５０は、水流を複数の流路に分割する整流手段として作用する。このような仕切板３４０、３５０を設けることにより、整流効果がさらに高まり、銀電極４２０における水流の乱れをさらに効果的に抑制できる。なお、これら仕切板３４０、３５０は、例えば、ハニカム状などに設けてもよい。
【００６４】
図３３は、本発明における流路区画手段の第６の具体例を例示する斜視模式図である。すなわち、本具体例においては、銀電極４２０の下流側の流路区画手段３２０に格子状に仕切板３４０、３５０が設けられている。これら仕切板３４０、３５０も、水流を複数の流路に分割する整流手段として作用する。その結果として、整流効果がさらに高まり、銀電極４２０における水流の乱れをさらに効果的に抑制できる。これら仕切板３４０、３５０も、例えば、ハニカム状などに設けてもよい。
【００６５】
図３４は、本発明における流路区画手段の第７の具体例を例示する斜視模式図である。  また、図３５は、本具体例の平面図である。
【００６６】
すなわち、本具体例においては、銀電極４２０の上に仕切板３４０が設けられている。このように仕切板３４０を設けても、整流効果が高まり、銀電極４２０における水流の乱れをさらに効果的に抑制できる。このように仕切板３４０を設けると、銀電極４２０における水流の乱れが特に大きい場合や、電極の上流側あるいは下流側において十分なスペースがなく、流路区画手段を効果的に設けることができない場合などにも、整流効果を得ることができる。なお、仕切板３４０の数は配置間隔などは、銀電極４２０のサイズなどに応じて適宜決定することができる。
【００６７】
以上、本発明における流路区画手段及び銀電極の構造や配置関係について詳述した。  
次に、本発明の便器洗浄水生成装置の全体構成について、具体例を挙げて説明する。  
図３６は、本発明の実施の形態にかかる便器洗浄水生成装置の第１の具体例を表す模式図である。すなわち、本具体例の便器洗浄水生成装置は、制御手段１００として、制御部１１０、開閉弁電磁駆動部１２０、電流供給部１３０、電源部１４０及びセンサ１６０などの回路要素を備える。
【００６８】
上水や中水などの水道水Ｗは、例えば、プランジャ式ラッチング・ソレノイド・バルブからなる開閉弁２００によりその流路が開閉される。開閉弁２００の下流には流路区画手段３１０が設けられ、水道水の流路は銀電解槽４００に供給される水流Ｗ１と、それ以外の水流Ｗ２とに分岐される。これら水流Ｗ１及びＷ２は、流路区画手段３２０の下流で再び合流し、水洗便器６００に洗浄水として供給される。これら流路区画手段３１０、銀電解槽４００、流路区画手段３２０については、図１乃至図３５に関して前述した各種のものを適宜用いることができる。
【００６９】
制御手段１００の回路要素について説明すると、まず、制御部１１０は、他の回路要素の動作を管理し、制御する役割を有する。開閉弁電磁駆動部１２０は、例えば開閉弁２００を開状態にするための電圧を出力することにより開閉弁２００を駆動させる。  
電流供給部１３０は、銀電解槽４００に対して銀イオン溶出のための電流を供給する。電源部１４０は、交流１００ボルトや交流２００ボルトなどの商用電源からの電力を直流電力に変換する役割を有する。センサ１６０は、例えば、水洗便器６００の上方または前面などに配置され、赤外線などにより使用者の存在を検知する。センサ１６０からの検知情報に基づいて、制御部１１０は、開閉弁電磁駆動部１２０を動作させ、開閉弁２００を開閉させて、便器６００に洗浄水を適宜流すことができる。
【００７０】
図３７は、電流供給部１３０の構成を例示する模式図である。すなわち、電流供給部１３０は、例えば、電気伝導度検出回路１３２、定電流回路１３３、極性反転回路１３４を有する。前述したように、洗浄水の殺菌効果を高め、同時に便器の変色などを防ぐためには、銀イオンの添加量を所定の範囲内とすることが望ましい。従って、水道水の電気伝導度に応じて、銀電解槽４００に流す電流を調節する必要がある。電気伝導度検出回路１３２は、このために水道水の電気伝導度を検出する役割を有する。なお、水の電気伝導度の検出は、例えば、定電流回路１３３により銀電解槽４００の電極間に一定電流を流し、その時の電極間電圧を電気伝導度検出回路１３２で測定することによって実施できる。
【００７１】
一方、定電流回路１３３は、銀イオンを溶出させるために最適な電流値を制御して出力する役割を有する。  
また、極性反転回路１３４は、銀電解槽４００に出力する電流の極性を適宜反転させる役割を有する。すなわち、図２に例示したような銀電解槽４００の電極４２０ａ、４２０ｂの間に直流電流を流して電気分解を行うと、カソード（陰極）側の電極の表面に炭酸カルシウムなどのスケールが付着し、電気抵抗が上昇するという問題がある。なお、アノード（陽極）側の電極の表面には、主に塩化銀（ＡｇＣｌ）などが析出する。また、銀イオンの溶出に伴い、アノード（陽極）側の電極は消耗していくので、一対の電極４２０ａ、４２０ｂを均等に消耗させることが望ましい。そこで、極性反転回路１３４により電流の極性を適宜反転させて出力する。極性の反転は、例えば、一回の洗浄水の生成毎とすることができる。
【００７２】
以上説明したような便器洗浄水生成装置において、流路区画手段３１０、銀電極４２０、流路区画手段３２０として、図１乃至図３５に関して前述したものを用いることにより、銀イオンの生成効率を大幅に高めることができる。その結果として、銀電極４２０の消耗を抑制し、銀電解槽４００の耐用期間を大幅に延ばすことができる。
【００７３】
また、本発明においては、銀電解槽４００に洗浄水の一部のみを流すので、洗浄水の圧力損失を低減できる。その結果として、水洗便器６００の洗浄のために必要な水圧を確保でき、十分な水圧で高い洗浄効果が得られる。
【００７４】
図３８は、本発明の実施の形態にかかる便器洗浄水生成装置の第２の具体例を表す模式図である。同図については、図１乃至図３７に関して前述したものと同様の要素には同一の符号を付して詳細な説明は省略する。
【００７５】
本具体例においては、発電手段５００が設けられている。すなわち、流路区画手段３１０により分岐された水流Ｗ２は発電手段５００に供給される。銀電解槽４００と発電手段５００とをそれぞれを通過した水は、再び合流し、水洗便器６００に洗浄水として供給される。
【００７６】
図３９は、本具体例における流路区画手段３１０、銀電解槽４００、流路区画手段３２０、発電手段５００を含むユニットを表す模式図である。すなわち、同図（ａ）はその外観を表す斜視図であり、同図（ｂ）はその内部構造を表す断面図である。  
このユニットは、同図（ａ）に表したように、側面に突出した一体の接続端子４１０ａ、４１０ｂと、発電機５１０と、を有する。その内部を見ると、流路区画手段３１０は、２つに分岐した流路を形成し、その一方の流路には、銀電解槽４００の銀電極４２０ａ、４２０ｂが対向して設けられている。これら銀電極４２０ａ、４２０ｂは、接続端子４１０ａ、４１０ｂにそれぞれ接続されている。
【００７７】
一方、流路区画手段３１０により分岐した他方の流路には、水車５２０が設けられている。水車５２０は、水流Ｗ２により回転し、その回転運動が発電機５１０の駆動軸に伝達される。すると、水道水の運動エネルギーが電気エネルギーに変換されて、電力が発生する。  
銀電解槽４００と発電手段５００とをそれぞれ通過した水は、流路区画手段３２０の下流において再び合流し、水洗便器に洗浄水として供給される。      
再び図３８に戻って説明を続けると、本具体例の場合、制御手段１００には、蓄電部１４０と整流部１５０が設けられている。  
蓄電部１４０は、発電手段５００により発電された電力を蓄積する役割を有し、例えば、電圧変換回路と、キャパシタなどの蓄電手段と、を有する。整流部１５０は、発電手段５００により発電された交流電力を整流して直流電流に変換する。
【００７８】
図４０は、銀電解槽４００に対して、発電手段５００から電力が供給される経路を例示する模式図である。このように、発電手段５００において得られた電力を蓄電部１４０に蓄電することなく、銀電解槽４００に対して直接、供給することができる。  
すなわち、蓄電部１４０においては、内蔵するキャパシタなどの特性に応じて、電圧を適宜変換し、電力を蓄積する必要がある。従って、電圧の変換やキャパシタへの電荷の蓄積、あるいは蓄積された電荷の取り出しや、電圧変換などの過程で一定の損失が生ずる。
【００７９】
これに対して、本実施形態によれば、発電手段５００により発電された電力を蓄電部１４０に蓄電することなく、オン・デマンド的に銀電解槽４００に供給することによって、損失を抑制し、限られた発電力を効率的に銀イオンの生成に利用することができる。
そして、本発明によれば、流路区画手段３１０、銀電極４２０、流路区画手段３２０として、図１乃至図３５に関して前述したものを用いることにより、銀イオンの生成効率を大幅に高めることができる。その結果として、発電手段５００の限られた発電電力を用いて十分な濃度の銀イオンを含有させた洗浄水を生成することができる。例えば、図３９に関して前述したような発電手段５００を用いた場合、発電手段５００における圧力損失を０．０１メガパスカル、回転数を毎分１０００回転とすると、水洗便器６００に流す小用洗浄水による発電量は概ね５００ミリワット程度である。これに対して、本発明によれば、図５乃至図１０から明らかなように、このような限られた電力で十分な濃度の銀イオンを添加した洗浄水を生成できる。
【００８０】
さらに、本具体例においても、図３８に関して前述した具体例と同様に、銀電極４２０の消耗を抑制し、銀電解槽４００の耐用期間を大幅に延ばすことができる。
【００８１】
図４１は、本発明の実施の形態にかかる便器洗浄水生成装置の第３の具体例を表す模式図である。  
【００８２】
また、図４２は、本実施形態における流路区画手段３１０、銀電解槽４００、流路区画手段３２０、発電手段５００を含むユニットを表す模式図である。すなわち、同図（ａ）はその外観を表す斜視図であり、同図（ｂ）はその内部構造を表す断面図である。  
これらの図についても、図１乃至図４０に関して前述したものと同様の要素には同一の符号を付して詳細な説明は省略する。
【００８３】
本具体例においては、銀電解槽４００の下流に発電手段５００が配置されている。すなわち、本変形例においては、図３に関して前述したものと同様の流路区画手段３１０、銀電極４２０、流路区画手段３２０が設けられている。そして、その下流において、洗浄水Ｗの全量が通水するように水車５２０が配置されている。
【００８４】
図４に関して前述したように、銀イオンの生成効率の観点からは、銀電解槽４００に対しては低流速が有利である一方、発電量の確保の観点からは、水車５２０に対して高速流が有利である。このような要求に対して、本具体例の場合、配管方向の長さはやや長くなるものの、銀電解槽４００と発電手段５００とをそれぞれ流れる水流を上述のような条件にすることが容易であるという利点が得られる。また、発電手段５００の上流側に銀電解槽４００を設けると、発電手段５００を殺菌水が流れるので、発電手段５００において雑菌の付着による汚れを防ぐこともできる。
なお、図４１及び図４２に表したものとは逆に、銀電解槽４００の上流に発電手段５００を設けると、洗浄開始の際の突入流れに対して、銀電解槽４００への通水に応じて遅延することなく銀電解槽４００に電力を供給することができる。
【００８５】
図４３は、本発明の実施の形態にかかる便器洗浄水生成装置の第４の具体例を表す模式図である。  
すなわち、本具体例においては、分流手段３８０により水流を分岐させ、その一方の分岐路に流路区画手段３１０を設けて水流をさらに分岐させてその一方に銀電解槽４００を配置している。このようにすると、銀電解槽４００に供給される水量を顕著に低下させ流速を低下させることが容易となる。その結果として、銀イオンの生成効率を大幅に改善できる。また、流路区画手段３１０により分岐された２つの水流を流路区画手段３２０の下流側で合流させて発電手段５００に通水させることにより、流速と水流を発電手段５００の要求特性に適合させ、発電量を確保することも容易となる。
【００８６】
図４４は、本発明の実施の形態にかかる便器洗浄水生成装置の第５の具体例を表す模式図である。  
すなわち、本具体例においては、発電手段の代わりに電池７００が設けられている。この生成装置においては、銀電解槽４００や、制御手段１００の各回路要素に対して、電池７００から電力が供給される。この場合の電池は、乾電池などの１次電池でもよく、または、ニッケル・カドミウム電池や燃料電池などの２次電池であってもよい。
【００８７】
本具体例においても、図１乃至図３５に関して前述した流路区画手段３１０、銀電極４２０、流路区画手段３２０を適宜用いることにより、銀イオンの生成効率を大幅に改善し、電池７００の寿命を大幅に伸ばすことが可能となる。また同時に銀電極の寿命も大幅に延ばすことができる。その結果として、電池交換と銀電極の交換のメインテナンス頻度を下げることができ、経済性・利便性の高い水洗便器洗浄装置を提供できる。
【００８８】
以上、本発明を水洗便器について用いた具体例について説明したが、本発明はこれら具体例に限定されるものではない。  
例えば、本発明は、大便器の洗浄水の生成に用いても同様の作用効果が得られる。この場合、フラッシュバルブ式の大便器についても、ロータンク式の大便器についても、本発明を適用できる。  
また、本発明は、便器以外にも、例えば、手洗器や台所用水洗、浴室水洗などに用いて銀イオン水による同様の殺菌効果が得られる。  
図４５は、自動水栓の手洗器に本発明を適用した具体例を表す模式図である。すなわち、手洗器８００は、赤外線などのセンサ１６０を内蔵し、使用者が手を近づけると、開閉弁２００を開いて自動的に水を吐出させる。そして、この吐水に銀イオンを溶出させることにより、優れた殺菌作用が得られる。  
一方、センサ１６０が使用者を検知すると、開閉弁２００を開くとともに銀電解槽４００に通電して銀イオンの溶出を開始する。銀電解槽４００に対する電力の供給は、発電手段５００から直接行うことができる。
【００８９】
そして、本具体例においても、図１乃至図３５に関して前述したように、流路区画手段３１０、３２０を適宜設けることにより、銀イオンの生成効率を大幅に上げて、消費電力を低減させ、銀電極の寿命を大幅に延ばすことができる。その結果として、銀電極の交換のメインテナンス頻度を下げることができ、商用電源が不要な自己発電型、あるいは電池交換頻度が極めて低い自動水栓・殺菌水吐水型の手洗器が実現できる。
【００９０】
その他、開閉弁、銀電解槽、発電手段、分流手段、制御手段、センサ、蓄電手段をはじめとする各要素について当業者が適宜設計変更して採用したものも、本発明の要旨を有する限りにおいて本発明の範囲に包含される。
【図面の簡単な説明】
【００９１】
【図１】本発明の実施の形態にかかる便器洗浄水生成装置の要部構成を例示する模式図である。
【図２】銀電解槽４００における銀イオンの生成を説明するための概念図である。
【図３】本実施形態において用いることができる流路区画手段３１０、３２０及び銀電解槽４００の一例を表す一部切断斜視図である。
【図４】分流による銀イオンの生成効率の改善を説明するための模式図である。
【図５】電極間距離を１０ミリメータとした時の、分流比と銀電解槽の消費電力との関係を表すグラフ図である。
【図６】銀イオンの添加量を４ｐｐｂとする場合の分流比と銀電解槽の消費電力との関係を表すグラフ図である。
【図７】電極間距離を５ミリメータとした時の、分流比と銀電解槽の消費電力との関係を表すグラフ図である。
【図８】電極間距離を５ミリメータとした時の、分流比と銀電解槽の消費電力との関係を表すグラフ図である。
【図９】電極間距離を３ミリメータとした時の、分流比と銀電解槽の消費電力との関係を表すグラフ図である。
【図１０】電極間距離を３ミリメータとした時の、分流比と銀電解槽の消費電力との関係を表すグラフ図である。
【図１１】本実施形態における流路区画手段３１０、３２０の配置関係を例示する模式図である。
【図１２】比較例として流路区画手段が設けられていない構成を例示する模式図である。
【図１３】図１２に表した比較例の銀電極４２０ｂの表面に形成される水流を表す模式図である。
【図１４】流路区画手段３１０、３２０の作用を説明するための模式図である。
【図１５】流路区画手段３１０、３２０の有無による銀イオン生成効率の違いを表すグラフ図である。
【図１６】分流構造の具体例を表す斜視切断図である。
【図１７】水流Ｗの方向に切断した模式断面図である。
【図１８】洗浄水の配管の管壁寄りに、流路区画手段３１０、銀電極４２０ａ、４２０ｂ、流路区画手段３２０が配置されている分流構造を表す模式図である。
【図１９】配管内を流れる水流Ｗの流速分布を例示する模式図である。
【図２０】絞り孔３６０が設けられた分流構造を表す模式図である。
【図２１】配管の一部を切り取ってその内壁側から眺めた斜視図である。
【図２２】屈曲部を有する配管の内周側に寄せて配置された分流構造を表す模式図である。
【図２３】分岐流路を離間させた分流構造を表す模式図であり、同図（ａ）はその外観を表す斜視図であり、同図（ｂ）はその断面図である。
【図２４】本発明における流路区画手段と銀電極との配置関係を例示する斜視図である。
【図２５】図２４の断面図である。
【図２６】図２４の断面図である。
【図２７】本発明における流路区画手段の端部形状を例示する断面図である。
【図２８】本発明における流路区画手段の端部形状を例示する断面図である。
【図２９】本発明における流路区画手段の第２の具体例を例示する斜視模式図である。
【図３０】本発明における流路区画手段の第３の具体例を例示する斜視模式図である。
【図３１】本発明における流路区画手段の第４の具体例を例示する斜視模式図である。
【図３２】本発明における流路区画手段の第５の具体例を例示する斜視模式図である。
【図３３】本発明における流路区画手段の第６の具体例を例示する斜視模式図である。
【図３４】本発明における流路区画手段の第７の具体例を例示する斜視模式図である。
【図３５】第７具体例の平面図である。
【図３６】本発明の実施の形態にかかる便器洗浄水生成装置の第１の具体例を表す模式図である。
【図３７】電流供給部１３０の構成を例示する模式図である。
【図３８】本発明の実施の形態にかかる便器洗浄水生成装置の第２の具体例を表す模式図である。
【図３９】本発明の具体例における流路区画手段３１０、銀電解槽４００、流路区画手段３２０、発電手段５００を含むユニットを表す模式図である。
【図４０】銀電解槽４００に対して、発電手段５００から電力が供給される経路を例示する模式図である。
【図４１】本発明の実施の形態にかかる便器洗浄水生成装置の第３の具体例を表す模式図である。
【図４２】本発明の実施形態における流路区画手段３１０、銀電解槽４００、流路区画手段３２０、発電手段５００を含むユニットを表す模式図である。
【図４３】本発明の実施の形態にかかる便器洗浄水生成装置の第４の具体例を表す模式図である。
【図４４】本発明の実施の形態にかかる便器洗浄水生成装置の第５の具体例を表す模式図である。
【図４５】自動水栓の手洗器に本発明を適用した具体例を表す模式図である。
【符号の説明】
【００９２】
１０ 便器洗浄水生成装置
１００ 制御手段
１１０ 制御部
１２０ 開閉弁電磁駆動部
１３０ 電流供給部
１３２ 電気伝導度検出回路
１３３ 定電流回路
１３４ 極性反転回路
１４０ 蓄電部（電源部）
１５０ 整流部
１６０ センサ
２００ 開閉弁
３００ 分流手段
３１０〜３３０ 流路区画手段
３４０、３５０ 仕切板
３６０ 孔
３８０ 分流手段
４００ 銀電解槽
４１０ａ、４１０ｂ 接続端子
４２０、４２０ａ、４２０ｂ 銀電極
５００ 発電手段
５１０ 発電機
５２０ 水車
６００ 水洗便器
７００ 電池
８００ 手洗器
ＢＬ 境界層
【図１】
2005290794.tif 000003
【図２】
2005290794.tif 000004
【図３】
2005290794.tif 000005
【図４】
2005290794.tif 000006
【図５】
2005290794.tif 000007
【図６】
2005290794.tif 000008
【図７】
2005290794.tif 000009
【図８】
2005290794.tif 000010
【図９】
2005290794.tif 000011
【図１０】
2005290794.tif 000012
【図１１】
2005290794.tif 000013
【図１２】
2005290794.tif 000014
【図１３】
2005290794.tif 000015
【図１４】
2005290794.tif 000016
【図１５】
2005290794.tif 000017
【図１６】
2005290794.tif 000018
【図１７】
2005290794.tif 000019
【図１８】
2005290794.tif 000020
【図１９】
2005290794.tif 000021
【図２０】
2005290794.tif 000022
【図２１】
2005290794.tif 000023
【図２２】
2005290794.tif 000024
【図２３】
2005290794.tif 000025
【図２４】
2005290794.tif 000026
【図２５】
2005290794.tif 000027
【図２６】
2005290794.tif 000028
【図２７】
2005290794.tif 000029
【図２８】
2005290794.tif 000030
【図２９】
2005290794.tif 000031
【図３０】
2005290794.tif 000032
【図３１】
2005290794.tif 000033
【図３２】
2005290794.tif 000034
【図３３】
2005290794.tif 000035
【図３４】
2005290794.tif 000036
【図３５】
2005290794.tif 000037
【図３６】
2005290794.tif 000038
【図３７】
2005290794.tif 000039
【図３８】
2005290794.tif 000040
【図３９】
2005290794.tif 000041
【図４０】
2005290794.tif 000042
【図４１】
2005290794.tif 000043
【図４２】
2005290794.tif 000044
【図４３】
2005290794.tif 000045
【図４４】
2005290794.tif 000046
【図４５】
2005290794.tif 000047